(57)【要約】【課題】軽量化を図ったうえで、強度・剛性が高められるとともに、断熱性、遮音性に優れた住宅用ドアを形成する。【解決手段】平面視において四辺形状の形態からなるとともに、ラダー状の形態からなるフレーム１と、フレーム１の一方の面側に設けられるものであって室外側の意匠面を形成するとともに全体が鋼板にて二重構造に形成される外板部材２と、フレーム１のもう一方の面側に設けられるものであって室内側の内装内張を形成する内板部材３と、からなるようにする。上記二重構造式の外板部材２の中空部内には発泡プラスチック材２３が充填される。このような構成からなる外板部材２及び内板部材３は、締結手段９を介してフレーム１の適宜個所に着脱が可能なように取付けられる。【選択図】　　　　　　　　図１
2004068344.tif 000002
【特許請求の範囲】
【請求項１】
Ｌ型材からなるものであって２本平行に設けられる支柱部材と、当該２本の支柱部材の両先端部のところに、当該両先端部間を連結するように平行に設けられるものであってチャンネル状の形態からなる型材にて形成される桁部材と、からなるとともに、これら２本の支柱部材と２本の桁部材とにて平面視が四辺形状の形態からなるフレームを形成し、このようなフレームを形成する上記２本の支柱部材間に、上記桁部材に対して平行なように、Ｌ字状またはチャンネル状の横断面形態からなる型材にて形成される補強部材を設け、このように形成された四辺形状フレームの両面側に、上記四辺形状平面の全面を被うように形成される外板部材及び内板部材を所定の締結手段を用いて着脱が可能なように取付けるようにした構成からなることを特徴とする住宅用ドア。
【請求項２】
請求項１記載の住宅用ドアにおいて、上記外板部材を、鋼板にて形成されるものであって内部に密閉空間を有する２重構造部材からなるようにするとともに、上記密閉空間内に所定の発泡プラスチック材を充填するようにしたことを特徴とする住宅用ドア。
【請求項３】
請求項１または請求項２記載の住宅用ドアにおいて、上記内板部材を、所定のボード材を基礎に、当該ボード材の表面側に所定の意匠面を形成する表皮材を有する構成からなるようにするとともに、このような内板部材を上記フレームのところに所定の締結手段を用いて着脱が可能なように取付けるようにしたことを特徴とする住宅用ドア。
【発明の詳細な説明】
【０００１】
【発明の属する技術分野】
本発明は、住宅用ドアに関するものであり、特に、フレームを所定の型材にて形成するとともに、このようなフレームの両面側に、着脱が可能な外板部材及び内板部材を設けるようにした構成からなる住宅用ドアに関するものである。
【０００２】
【従来の技術】
一般に、住宅用ドア、特に、玄関等に設けられるスチール製ドアは、意匠面を形成するものであって外側に設けられる外板部材と、室内側内張りを形成する内板部材と、これらを保持するフレーム部材等と、からなるものであり、これらが鋼板あるいはスチール製型材等を基礎にして溶接手段等を介して一体的に形成されるようになっているものである。このような部材及び工法を採ることによって、頑丈なスチール製の住宅用ドアが形成されるようになっているものである。
【０００３】
【発明が解決しようとする課題】
ところで、上記従来のものにおいては、意匠面を形成するドアの外側部材及び室内側を形成する内側部材等が一体的に形成されるようになっているので、外側の意匠（デザイン）等を変更しようとした場合、その都度、ドア全体の設計等をし直ししなければならない。従って、開発コスト及び製造コストが嵩むと言う問題点がある。また、ドア装置全体の質量も重くならざるを得ないと言う問題点がある。このような問題点を解決するために、フレームと外板部材及び内板部材とを別体の部材にて形成させるようにするとともに、これらを所定の締結手段を用いて着脱が可能なように組付けることのできるようにした住宅用ドアを提供しようとするのが、本発明の目的（課題）である。
【０００４】
【課題を解決するための手段】
上記課題を解決するために、本発明においては次のような手段を講ずることとした。すなわち、請求項１記載の発明においては、住宅用ドアに関して、Ｌ型材からなるものであって２本平行に設けられる支柱部材と、当該２本の支柱部材の両先端部のところに、当該両先端部間を連結するように平行に設けられるものであってチャンネル状の形態からなる型材にて形成される桁部材と、からなるとともに、これら２本の支柱部材と２本の桁部材とにて平面視が四辺形状の形態からなるフレームを形成し、このようなフレームを形成する上記２本の支柱部材間に、上記桁部材に対して平行なように、Ｌ字状またはチャンネル状の横断面形態からなる型材にて形成される補強部材を設け、このように形成された四辺形状フレームの両面側に、上記四辺形状平面の全面を被うように形成される外板部材及び内板部材を所定の締結手段を用いて着脱が可能なように取付けるようにした構成を採ることとした。
【０００５】
このような構成を採ることにより、本発明のものにおいては、ドアの外側に設けられるものであって意匠面を形成する外板部材と、ドアの室内側の意匠面を形成する内板部材と、これらを保持する基礎となるフレームとを、それぞれ別体のものにて形成しておき、それらを適宜組付けることによって住宅用ドアを形成させるようにしたので、フレームを、基本的な仕様のものを用意しておくとともに、これを基礎にして、ここに外板部材及び内板部材を適宜取り付けることによって、異なった仕様の住宅用ドアを簡単に形成することができるようになる。また、本発明のものにおいては、フレームが所定の型材の組み合わせにて形成されるようになっているので、フレーム全体の質量軽減化を図ることができるようになるとともに、フレーム構成部品である桁部材あるいは支柱部材等を、標準品的な型材にて形成させることができるようになり、フレームについての製造コストの低減化を図ることができるようになる。また、これらによって、本住宅用ドア全体の質量軽減化及び製造コストの低減化を図ることができるようになる。
【０００６】
次に、請求項２記載の発明について説明する。このものも、その基本的な点は上記請求項１記載のものと同じである。すなわち、本発明においては、請求項１記載の住宅用ドアに関して、上記外板部材を、鋼板にて形成されるものであって内部に密閉空間を有する２重構造方式のものからなるようにするとともに、上記密閉空間内に所定の発泡プラスチック材を充填するようにした構成を採ることとした。このような構成を採ることにより、本発明のものにおいては、ドアの外側に設けられる外板部材を、軽量化を図ったうえで、強度・剛性の向上を図ることができるようになる。また、内部に充填された発泡プラスチック材の作用によって、防音効果及び断熱効果を高めさせることができるようになる。
【０００７】
次に、請求項３記載の発明について説明する。このものも、その基本的な点は上記請求項１または請求項２記載のものと同じである。すなわち、本発明においては、請求項１または請求項２記載の住宅用ドアに関して、上記内板部材を、所定のボード材を基礎に、当該ボード材の表面側に所定の意匠面を形成する表皮材を有する構成からなるようにするとともに、このような内板部材を上記フレームのところに所定の締結手段を用いて着脱が可能なように取付けるようにした構成を採ることとした。このような構成を採ることにより、本発明のものにおいては、上記内板部材を、例えばクリップ等の締結手段を用いて、上記フレームのところへ取付けるようにすることによって、本ドアを、例えば玄関等の構造物に取り付けたままの状態で、本内板部材の室内側意匠を自由に変更することができるようになる。従って、室内側のリフォーム作業等を容易に行うことができるようになる。
【０００８】
【発明の実施の形態】
本発明の実施の形態について、図１ないし図４を基に説明する。本実施の形態にかかるものの、その構成は、図１に示す如く、平面視において四辺形状の形態からなるとともに、ラダー状の形態からなるフレーム１と、当該フレーム１の一方の面側に設けられるものであって室外側の意匠面を形成するとともに全体が鋼板にて二重構造に形成される外板部材２と、上記フレーム１のもう一方の面側に設けられるものであって室内側の内装内張を形成する内板部材３と、からなることを基本とするものである。そして、このような構成からなる上記外板部材２及び内板部材３は、共に所定の締結手段を介して上記フレーム１の適宜個所に着脱が可能なように取付けられるようになっているものである。
【０００９】
このような構成からなるものにおいて、上記フレーム１は、図１及び図２に示す如く、２本平行に設けられるものであって長尺状のＬ型材にて形成される支柱部材１１、１１’と、当該両支柱部材１１、１１’の両先端部のところに、これら両先端部間を連結するように設けられるものであってＣ字状の形態からなるチャンネル状型材にて形成される桁部材１２、１２’と、当該桁部材１２、１２’に対して平行に、かつ、上記支柱部材１１、１１’間を連結するように設けられるものであってＬ型材あるいはＣ字状の横断面形態を有するチャンネル状型材にて形成される補強部材１５と、からなることを基本とするものである。なお、上記補強部１５は、一本の場合に限られず、ドアの仕様に応じて複数本設けられる場合がある。そして、上記桁部材１２、１２’及び補強部材１５の、それぞれの端末部は、図２に示す如く、両支柱部材１１、１１’の、それぞれのフランジ部１１１のところに、スポット溶接手段を初めとした所定の溶接手段、あるいはボルト・ナットからなる締結手段等にて結合されるようになっているものである。このようにして各部材１１、１２、１５が一体的に結合されることによって、図１に示す如く、平面視が四辺形状の形態を有するラダー状のフレーム１が形成されることとなる。なお、このようなフレーム１を形成する各部材は、簡単な横断面形態を有する型材にて形成されるものであり、多くはスチール製のものが採用されるようになっている。但し、場合によっては、軽量化の観点からアルミニウム合金製の型材が採用されることがある。
【００１０】
次に、このような構成からなるフレーム１の一方の面側であって室外側の意匠面を形成する側に設けられる外板部材２は、図１及び図３に示す如く、２枚の鋼板にて形成されるものであって間に中空部を有する二重構造方式のものからなるものである。具体的には、図３に示す如く、ドアの室外側意匠面を形成するものであって所定の模様等の設けられた意匠面形成部材２１と、上記フレーム１の一方の面側に接触するように設けられるものであって取付面を形成する取付面形成部材２２と、からなるものである。そして、これら二枚の部材２１、２２にて形成される、その間には、中空部が形成されるとともに、この中空部内には、所定の発泡プラスチック材２３が充填されるようになっているものである。
【００１１】
このように、内部に発泡プラスチック材２３が充填された状態で、上記意匠面形成部材２１及び取付面形成部材２２が一体化されることによって、本外板部材２は、高い強度と剛性とを発揮することができるようになる。従って、意匠面形成部材２１及び取付面形成部材２２に薄い板厚の鋼板等を用いることができるようになり、本外板部材２の軽量化を図ることができるようになる。また、上記中空部に充填される発泡プラスチック材２３の作用により、本外板部材２の断熱性能及び遮音性能が高められることとなる。そして、このような外板部材２を形成する上記意匠面形成部材２１と取付面形成部材２２との、それぞれの周辺端末部のところはクリンチ結合手段、あるいは折曲げ結合手段等にて結合されるようになっているものである。そして更に、このようにして形成された結合部２９のところが、上記フレーム１を形成する支柱部材１１、１１’のところに、ボルト・ナット等からなる締結手段９を介して着脱が可能なように取付けられるようになっているものである。
【００１２】
次に、このような構成からなる外板部材２の取付けられる側とは反対の側に設けられる内板部材３は、図４に示す如く、上記フレーム１への取付部の基礎をなすものであってボード材等にて形成される基板３１と、当該基板３１上に設けられるものであって所定の発泡プラスチック材にて形成されるクッション層３２と、このクッション層３２の表面に設けられるものであって室内側の内装内張りを形成するとともにファブリック等にて形成される表皮材３３と、からなるものである。このような構成からなる内板部材３は、図３に示す如く、その長手方向周辺部のところがフレーム１を形成する支柱部材１１、１１’のところに、Ｌ字状の横断面形態からなるブラケット３９等を介して、更には、ボルト・ナット等からなる締結手段９を介して、着脱が可能なように取付けられるようになっているものである。なお、この内板部材３のフレーム１への取付けに関しては、上記のようなブラケット３９等を介して取付けられるものの外に、クリップによる取付方式が考えられる。このものは、内板部材３の基板３１側に所定のクリップ等を予め設けておくようにし、このようなクリップを上記フレーム１の支柱部材１１のフランジ部１１１のところに予め設けられたクリップ装着用穴等へ嵌合させることによって内板部材３のフレーム１への結合（取付け）を行わせるものである。
【００１３】
このような構成を採ることにより、本実施の形態のものにおいては次のような作用を呈することとなる。すなわち、本実施の形態のものにおいては、ドアの外側に設けられるものであって意匠面を形成する外板部材２と、ドアの室内側の意匠面を形成する内板部材３と、これらを保持する基礎となるフレーム１とが、それぞれ別体のものにて形成されるとともに、それらが適宜組付けられることによって住宅用ドアが形成されるようになっているので、フレーム１に標準品的なものを用意しておき、これを基礎にして、ここに外板部材２及び内板部材３を適宜取り付けることによって、異なった仕様の住宅用ドアを簡単に形成することができるようになる。また、本実施の形態のものにおいては、フレーム１が所定の型材の組み合わせにて形成されるようになっているので、フレーム１全体の質量軽減化を図ることができるようになるとともに、外板部材２と内板部材３との間には、型材にて形成されるフレーム１によって中空部が形成されるようになり、この中空部内に本ドアの操作に関連する各種リンク機構等を収容することができるようになる。また、上記フレーム１の構成部品である桁部材１２、１２’あるいは支柱部材１１、１１’等を、標準品的な型材にて形成させるようにしたので、フレーム１についての製造コストの低減化を図ることができるようになる。また、これらによって、本住宅用ドア全体の質量軽減化及び製造コストの低減化を図ることができるようになる。
【００１４】
また、本実施の形態のものにおいては、上記外板部材１を、鋼板にて形成されるものであって内部に密閉空間を有する２重構造方式のものからなるようにするとともに、上記密閉空間内に所定の発泡プラスチック材２３を充填するようにした構成を採ることとしたので、外板部材２を、軽量化を図ったうえで、強度・剛性の向上を図ることができるようになる。また、内部に充填された発泡プラスチック材２３の作用によって本外板部材２及び本ドア全体の防音効果及び断熱効果を高めさせることができるようになる。
【００１５】
また、本実施の形態のものにおいては、上記内板部材３を、所定のボード材からなる基板３１を基礎に、当該基板３１の表面側に所定の意匠面を形成するものであってファブリック等にて形成される表皮材３３を設けるようにするとともに、このような内板部材３を上記フレーム１のところに所定の締結手段９を用いて着脱が可能なように取付けるようにした構成を採ることとしたので、本ドアを、住宅を形成する構造部材に取り付けたままの状態で上記内板部材３を取り換えることができるようになる。その結果、室内側の意匠を自由に変更することができるようになる。従って、室内側のリフォーム作業等を容易に行うことができるようになる。
【００１６】
【発明の効果】
本発明によれば、住宅用ドアに関して、Ｌ型材からなるものであって２本平行に設けられる支柱部材と、当該２本の支柱部材の両先端部のところに、当該両先端部間を連結するように平行に設けられるものであってチャンネル状の形態からなる型材にて形成される桁部材と、からなるとともに、これら２本の支柱部材と２本の桁部材とにて平面視が四辺形状の形態からなるフレームを形成し、このようなフレームを形成する上記２本の支柱部材間に、上記桁部材に対して平行なように、Ｌ字状またはチャンネル状の横断面形態からなる型材にて形成される補強部材を設け、このように形成された四辺形状フレームの両面側に、上記四辺形状平面の全面を被うように形成される外板部材及び内板部材を所定の締結手段を用いて着脱が可能なように取付けるようにした構成を採ることとしたので、フレームを基礎にして、このようなフレームのそれぞれの面側に別体のものにて形成される外板部材及び内板部材を適宜取り付けることによって、異なった仕様の住宅用ドアを簡単に形成することができるようになった。
【００１７】
また、本発明のものにおいては、フレームが、所定の型材の組み合わせにて形成されるようになっているので、フレーム全体の質量軽減化を図ることができるようになるとともに、フレームの構成部品である桁部材あるいは支柱部材等を、標準品的な型材にて形成させることができるようになり、フレームについての製造コストの低減化を図ることができるようになった。また、これらによって、本住宅用ドア全体の質量軽減化及び製造コストの低減化を図ることができるようになった。
【００１８】
また、本発明においては、上記外板部材を、鋼板にて形成されるものであって内部に密閉空間を有する２重構造方式のものからなるようにするとともに、上記密閉空間内に所定の発泡プラスチック材を充填するようにした構成を採ることとしたので、ドアの外側に設けられる外板部材を、軽量化を図ったうえで、強度・剛性の向上を図ることができるようになった。また、内部に充填された発泡プラスチック材の作用によって、防音効果及び断熱効果を高めさせることができるようになった。
【００１９】
また、本発明においては、上記内板部材を、所定のボード材を基礎に、当該ボード材の表面側に所定の意匠面を形成する表皮材を有する構成からなるようにするとともに、このような内板部材を上記フレームのところに所定の締結手段を用いて着脱が可能なように取付けるようにした構成を採ることとしたので、上記内板部材を、例えばクリップ等の締結手段を用いて上記フレームのところへ取付けることによって、ドアを、例えば玄関等の構造物に取り付けたままの状態で、本内板部材の室内側の意匠を自由に変更することができるようになった。従って、室内側のリフォーム作業等を容易に行うことができるようになった。
【図面の簡単な説明】
【図１】本発明の全体構成を示す展開斜視図である。
【図２】本発明の主要部を成すフレームの各構成部品を示す展開斜視図である。
【図３】本発明の全体構成を示す横断面図である。
【図４】本発明に係る内板部材の構成を示す部分断面図である。
【符号の説明】
１　フレーム
１１　支柱部材
１１’　支柱部材
１１１　フランジ部
１２　桁部材
１２’　桁部材
１５　補強部材
２　外板部材
２１　意匠面形成部材
２２　取付面形成部材
２３　発泡プラスチック材
２９　結合部
３　内板部材
３１　基板
３２　クッション層
３３　表皮材
３９　ブラケット
９　締結手段
【図１】
2004068344.tif 000003
【図２】
2004068344.tif 000004
【図３】
2004068344.tif 000005
【図４】
2004068344.tif 000006